(57)【要約】      （修正有）【課題】追尾対象の被写体の動きに精度よく追従してＡＦ領域を設定する撮像装置を提供する。【解決手段】撮像装置は、フレーム単位で連続して被写体を撮像して撮像画像を生成する撮像部と、撮像部により生成された撮像画像をリアルタイムに表示する表示部と、表示部にリアルタイムに表示される撮像画像に重畳して、自動合焦させる領域を示すＡＦ枠を表示する制御部と、を備える。制御部は、以前のフレームの撮像画像Ｎ−２、Ｎ−１から特定の被写体の動きｍを検出し、検出した動きｍに基づいて、現フレームの撮像画像Ｎにおける特定の被写体の位置Ｐnを予測し、予測した位置に基づいて、表示部に表示される撮像画像においてＡＦ枠を表示する。【選択図】図５
2016218106.tif 000002
【特許請求の範囲】
【請求項１】
特定の被写体の動きに追従して自動合焦動作が可能な撮像装置であって、
フレーム単位で連続して被写体を撮像して撮像画像を生成する撮像部と、
前記撮像部により生成された撮像画像をリアルタイムに表示する表示部と、
前記表示部にリアルタイムに表示される撮像画像に重畳して、自動合焦させる領域を示すＡＦ枠を表示する制御部と、を備え、
前記制御部は、以前のフレームの撮像画像から特定の被写体の動きを検出し、検出した動きに基づいて、現フレームの撮像画像における前記特定の被写体の位置を予測し、前記予測した位置に基づいて、前記表示部に表示される撮像画像において前記ＡＦ枠を表示する、
撮像装置。
【請求項２】
前記制御部は、前記特定の被写体の動きに追従した自動合焦動作のために、前記予測した位置に基づいた領域において前記特定の被写体の検出動作を行う、請求項１に記載の撮像装置。
【請求項３】
前記制御部は、所定回数連続して算出した動きベクトルが示す移動量の差が所定範囲内に収まる場合にのみ、前記特定の被写体の位置を予測する、請求項１または２に記載の撮像装置。
【請求項４】
前記制御部は、現フレームより１フレーム前の撮影画像と２フレーム前の撮影画像とから動きベクトルを検出し、前記動きベクトルに基づいて、現フレームの撮像画像における前記特定の被写体の位置を予測する、請求項１に記載の撮像装置。
【請求項５】
前記制御部は、前記撮像画像の色情報及び／または動きベクトルに基づいて前記特定の被写体の検出を行うことにより、前記特定の被写体の動きに追従した自動合焦動作を行う、請求項１から４のいずれかに記載の撮像装置。
【発明の詳細な説明】
【技術分野】
【０００１】
本開示は、追尾対象の被写体の動きに追従してオートフォーカス領域を設定する撮像装置に関する。
【背景技術】
【０００２】
従来、所望の被写体を追尾し、時々刻々と変化する被写体の位置に応じた位置に合焦動作を行うオートフォーカス（ＡＦ）領域を設定する撮像装置がある（例えば、特許文献１）。
【０００３】
特許文献１のカメラは、撮影画面内の色情報と輝度情報との少なくとも１つを用いて撮影画面内の追尾対象を含む候補領域を検出し、候補領域の大きさに基づき、候補領域に含まれる複数のフォーカスエリア（ＡＦ領域）の中から１つのフォーカスエリアを選択し、焦点調節の対象とするとともに、選択した１つのフォーカスエリアに対してＡＦ枠を撮影画面内に表示している。このようにＡＦ枠を表示することにより、大きな被写体に対してＡＦ枠の表示位置（すなわち、フォーカスエリアの位置）が頻繁に切り替わることを低減している。
【先行技術文献】
【特許文献】
【０００４】
【特許文献１】特開２０１４−０１６６３０号公報
【発明の概要】
【発明が解決しようとする課題】
【０００５】
特許文献１のカメラでは、現在撮影画面内に表示されているＡＦ枠は、１つ前のフレームの画像に基づいて決定された位置に表示される。このため、現在の被写体の実際の位置と、ＡＦ枠の表示位置（すなわちＡＦ領域の位置）とがずれてしまう場合がある。
【０００６】
本開示は、追尾対象の被写体の動きに精度よく追従してＡＦ枠の表示位置を設定する撮像装置を提供する。
【課題を解決するための手段】
【０００７】
本開示の態様において、特定の被写体の動きに追従して自動合焦動作が可能な撮像装置が提供される。撮像装置は、フレーム単位で連続して被写体を撮像して撮像画像を生成する撮像部と、撮像部により生成された撮像画像をリアルタイムに表示する表示部と、表示部にリアルタイムに表示される撮像画像に重畳して、自動合焦させる領域を示すＡＦ枠を表示する制御部と、を備える。制御部は、以前のフレームの撮像画像から特定の被写体の動きを検出し、検出した動きに基づいて、現フレームの撮像画像における特定の被写体の位置を予測し、予測した位置に基づいて、表示部に表示される撮像画像においてＡＦ枠を表示する。
【発明の効果】
【０００８】
本開示の撮像装置は、追尾対象の被写体の位置を予測してＡＦ枠を表示する。このため、追尾対象の被写体の動きに精度よく追従してＡＦ枠を表示することができる。
【図面の簡単な説明】
【０００９】
【図１】本開示に係るデジタルカメラの構成を示す図
【図２】デジタルカメラの背面図
【図３】デジタルカメラにおけるＡＦ枠を説明した図
【図４】実施の形態１における追尾ＡＦの動作を示すフローチャート
【図５】追尾対象の予測位置に基づく追尾領域の設定を説明するための図
【図６】実施の形態２における追尾ＡＦの動作を示すフローチャート
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１１】
以下、図面を用いて本開示に係る撮像装置の実施の形態を説明する。
【００１２】
（実施の形態１）
１．デジタルカメラの構成
本実施の形態１に係るデジタルカメラの電気的構成例について図１を用いて説明する。図１は、デジタルカメラ１００の構成を示すブロック図である。デジタルカメラ１００は、１又は複数のレンズからなる光学系１１０により形成された被写体像をＣＣＤ１４０で撮像する撮像装置である。
【００１３】
ＣＣＤ１４０で生成された画像データは、画像処理部１６０で各種処理が施され、メモリカード２００に格納される。以下、デジタルカメラ１００の構成を詳細に説明する。
【００１４】
光学系１１０は、ズームレンズやフォーカスレンズ１１５を含む。ズームレンズを光軸に沿って移動させることにより、被写体像の拡大、又は縮小をすることができる。また、フォーカスレンズ１１５を光軸に沿って移動させることにより、被写体像のピントを調整することができる。
【００１５】
レンズ駆動部１２０は、光学系１１０に含まれる各種レンズを駆動させる。レンズ駆動部１２０は、例えばズームレンズを駆動するズームモータや、フォーカスレンズ１１５を駆動するフォーカスモータを含む。
【００１６】
絞り３００は、ユーザの設定に応じて又は自動で、光の開口部の大きさを調整し、透過する光の量を調整する機構である。
【００１７】
シャッタ１３０は、ＣＣＤ１４０に透過させる光を遮光するための手段である。シャッタ１３０は、光学系１１０及び絞り３００とともに、被写体像を示す光学情報を制御する光学系部を構成する。
【００１８】
ＣＣＤ１４０は、光学系１１０で形成された被写体像を撮像して、所定のフレームレートで画像データを生成する。ＣＣＤ１４０は、カラーフィルタと、受光素子と、ＡＧＣ（Ａｕｔｏ  Ｇａｉｎ  Ｃｏｎｔｒｏｌｌｅｒ）を含む。受光素子は、光学系１１０によって集光された光学的信号を電気信号に変換し、画像情報を生成する。ＡＧＣは、受光素子から出力された電気信号を増幅する。ＣＣＤ１４０はさらに、露光、転送、電子シャッタなどの各種動作を行うための駆動回路等を含む。詳細については、後述する。
【００１９】
ＡＤＣ（Ａ／Ｄコンバータ）１５０は、ＣＣＤ１４０で生成されたアナログ画像データをデジタル画像データに変換する。
【００２０】
画像処理部１６０は、ＣＣＤ１４０で生成され、ＡＤＣ（Ａ／Ｄコンバータ）１５０により変換されたデジタル画像データに対して各種処理を施す。画像処理部１６０は、コントローラ１８０の制御にしたがい動作する。画像処理部１６０は、表示モニタ２２０に表示するための画像データを生成したり、メモリカード２００に格納するための画像データを生成したりする。例えば、画像処理部１６０は、ＣＣＤ１４０で生成された画像データに対して、ガンマ補正、ホワイトバランス補正、傷補正などの各種処理を行う。また、画像処理部１６０は、ＣＣＤ１４０で生成された画像データを、Ｈ．２６４規格やＭＰＥＧ２規格に準拠した圧縮形式等により圧縮する。画像処理部１６０は、ＤＳＰ（Ｄｉｇｉｔａｌ  Ｓｉｇｎａｌ  Ｐｒｏｃｅｓｓｏｒ）やマイコンなどで実現可能である。
【００２１】
コントローラ１８０は、デジタルカメラ１００の全体を制御する制御手段である。コントローラ１８０は、半導体素子などで実現可能である。コントローラ１８０は、ハードウェアのみで構成してもよいし、ハードウェアとソフトウェアとを組み合わせることにより実現してもよい。コントローラ１８０は、マイコン、ＣＰＵ、ＭＰＵ、ＡＳＩＣ、ＦＰＧＡなどで実現できる。
【００２２】
バッファ１７０は、画像処理部１６０及びコントローラ１８０のワークメモリとして機能する。バッファ１７０は、例えば、ＤＲＡＭ（Ｄｙｎａｍｉｃ  Ｒａｎｄｏｍ  Ａｃｃｅｓｓ  Ｍｅｍｏｒｙ）、強誘電体メモリなどで実現できる。
【００２３】
カードスロット１９０は、メモリカード２００を着脱可能である。カードスロット１９０は、機械的及び電気的にメモリカード２００と接続可能である。
【００２４】
メモリカード２００は、フラッシュメモリや強誘電体メモリなどを内部に含み、画像処理部１６０で生成された画像ファイル等のデータを格納可能である。
【００２５】
内蔵メモリ２４０は、フラッシュメモリや強誘電体メモリなどで構成される。内蔵メモリ２４０は、デジタルカメラ１００全体を制御するための制御プログラム等を記憶している。
【００２６】
操作部材２１０は、ユーザからの操作を受け付けるユーザーインターフェースの総称である。操作部材２１０は、例えば、ユーザからの操作を受け付ける選択ボタンや決定ボタン、レバー、ダイヤル、タッチパネル等を含む。
【００２７】
表示モニタ２２０は、ＣＣＤ１４０で生成した画像データが示す画像（ライブビュー画像）や、メモリカード２００から読み出した画像データが示す画像（再生画像）を表示可能である。また、表示モニタ２２０は、デジタルカメラ１００の各種設定を行うための各種メニュー画面等も表示可能である。表示モニタ２２０は、液晶表示デバイスや有機ＥＬ表示デバイスで構成される。
【００２８】
図２は、デジタルカメラ１００の背面を示した図である。操作部材２１０は、図２に示すように、レリーズボタン２１１、選択ボタン２１３、決定ボタン２１４、動画記録ボタン２１７等を含む。操作部材２１０は、ユーザによる操作を受け付けると、コントローラ１８０に種々の指示信号を送信する。
【００２９】
レリーズボタン２１１は、二段押下式の押下ボタンである。レリーズボタン２１１がユーザにより半押し操作されると、コントローラ１８０はオートフォーカス制御（ＡＦ制御）やオート露出制御（ＡＥ制御）などを実行する。また、レリーズボタン２１１がユーザにより全押し操作されると、コントローラ１８０は、押下操作のタイミングに撮像された画像データを記録画像としてメモリカード２００等に記録する。
【００３０】
選択ボタン２１３は、上下左右方向に設けられた押下式ボタンである。ユーザは、選択ボタン２１３のいずれかの方向を押下することにより、カーソルを移動したり、表示モニタ２２０に表示される各種条件項目を選択したりすることができる。
【００３１】
決定ボタン２１４は、押下式ボタンである。デジタルカメラ１００が撮影モードあるいは再生モードにあるときに、決定ボタン２１４がユーザにより押下されると、コントローラ１８０は表示モニタ２２０にメニュー画面を表示する。メニュー画面は、撮影/再生のための各種条件を設定するための画面である。決定ボタン２１４が各種条件の設定項目が選択されているときに押下されると、コントローラ１８０は、選択された項目の設定を確定する。
【００３２】
２．デジタルカメラの動作
本実施形態のデジタルカメラ１００は、自動で合焦動作を行うオートフォーカスモードとマニュアル操作による合焦動作を行うマニュアルモードを有する。さらに、デジタルカメラ１００は、オートフォーカスモードとして、特定の被写体に追従してオートフォーカスを行う追尾ＡＦモードを有する。
【００３３】
図３は、表示モニタ２２０に表示される撮像画像（ライブビュー画像）の例を説明した図である。本実施形態のデジタルカメラ１００は、追尾対象である特定の被写体１０の動きに追従してＡＦ領域を示すＡＦ枠２０を表示する。ここで、追尾対象となる特定の被写体は、例えば、表示モニタ２２０で表示された画像における特定の被写体に対して、ユーザがタッチやキー操作により指定することにより決定される。本実施形態のデジタルカメラ１００は、追尾対象となる特定の被写体の動きベクトルから、撮像画像における特定の被写体の位置を予測し、その予測した位置に基づいてＡＦ枠を決定する。これにより、ＡＦ枠の位置と追尾対象の実際の位置とのずれを低減できる。
【００３４】
以下、図４及び図５を参照して、デジタルカメラ１００における追尾ＡＦ動作について説明する。図４は、デジタルカメラ１００における追尾ＡＦ動作を示すフローチャートである。図５は、追尾対象である特定の被写体の予測位置に基づく追尾領域（ＡＦ枠の位置）の設定を説明するための図である。以下に説明する処理は、主としてデジタルカメラ１００のコントローラ１８０により実行される。なお、以下では、時刻ｔ（現フレームｎ）に対する追尾ＡＦ動作を説明する。また、追尾対象である特定の被写体はユーザにより既に指定されているとする。
【００３５】
コントローラ１８０は、現フレーム（フレームｎ）の１つ前のフレーム（フレームｎ−１）の撮像画像Ｎ−１における特定の被写体の位置と、２つ前のフレーム（フレームｎ−２）の撮像画像Ｎ−２における特定の被写体の位置とから動きベクトル（移動量）を算出し、算出結果を内蔵メモリ２４０に格納する（Ｓ１１）。
【００３６】
次に、コントローラ１８０は、１つ前のフレーム（フレームｎ−１）の撮像画像Ｎ−１と２つ前のフレーム（フレームｎ−２）の撮像画像Ｎ−２とから算出された動きベクトル（移動量）の情報を内蔵メモリ２４０から読み出す（Ｓ１２）。
【００３７】
コントローラ１８０は、取得した動きベクトル（移動量）に基づき、現フレームの撮像画像Ｎにおける特定の被写体の位置を予測する（Ｓ１３）。
【００３８】
具体的には、下記式（１）により現フレーム撮像画像Ｎにおける特定の被写体の予測位置Ｐnを求める。
Ｐn（xn, yn）＝Ｐn-1（xn-1, yn-1）＋ｍ（Δx， Δy）                （１）
Ｐn-1：１フレーム前の撮像画像における特定の被写体の位置
ｍ：２フレーム前の撮像画像における特定の被写体の位置（Ｐn-2）から１フレーム前の撮像画像における特定の被写体の位置（Ｐn-1）への動きベクトル
【００３９】
コントローラ１８０は、表示モニタ２２０に表示する画像（ライブビュー画像）において、撮像画像における予測位置Ｐnに対応する位置にＡＦ枠２０を表示する（Ｓ１４）。
【００４０】
このように表示モニタ２２０に表示する画像において、過去のフレームの撮像画像から予測した位置Ｐnに対応する位置にＡＦ枠を表示することで、表示モニタ２２０に表示された特定の被写体の位置とＡＦ枠の位置のずれを低減することができる。よって、ユーザは、違和感を感じることなくＡＦ枠を視認することができる。
【００４１】
その後、コントローラ１８０は、予測した位置Ｐnを中心として色情報に基づく追尾処理を行う（Ｓ１５）。
【００４２】
具体的には、コントローラ１８０は、予測した位置Ｐnを中心とした所定の領域３０において色情報に基づき特定の被写体１０を検出する。このとき、コントローラ１８０は、表示モニタ２２０上の現フレームｎの撮像画像において領域３０に対応する位置にＡＦ枠２０を表示する。そして、コントローラ１８０は、領域２０において色情報に基づき特定の被写体１０を検出し、検出した特定の被写体１０を含む所定の領域をＡＦ領域に設定し、ＡＦ領域に含まれる画素の値に基づきコントラストＡＦを実施する。
【００４３】
このように、予測した位置Pnを中心にして追尾処理（特定の被写体の検出）を実施することにより、追尾対象が移動していると予想される領域において追尾処理が実施され、追尾対象の実際の位置により近い位置で追尾対象を検出することができる。また、追尾対象を見失う可能性も低減できる。よって、追尾の精度を向上することができる。
【００４４】
３．効果、等
以上のように、本実施形態のデジタルカメラ１００は、特定の被写体の動きに追従して自動合焦動作が可能である。デジタルカメラ１００は、フレーム単位で連続して被写体を撮像して撮像画像を生成するＣＣＤ１４０と、ＣＣＤ１４０により生成された撮像画像をリアルタイムに表示する表示モニタ２２０と、表示モニタ２２０にリアルタイムに表示される撮像画像に重畳して、自動合焦させる領域を示すＡＦ枠２０を表示するコントローラ１８０と、を備える。コントローラ１８０は、以前のフレームの撮像画像Ｎ−１、Ｎ−２から特定の被写体１０の動きを検出し、検出した動きに基づいて、現フレームの撮像画像Ｎにおける特定の被写体１０の位置Ｐnを予測し、予測した位置Ｐnに基づいて、表示モニタ２２０に表示される撮像画像においてＡＦ枠２０を表示する。
【００４５】
以上のように、デジタルカメラ１００は、過去のフレームの画像から算出した動きベクトルに基づき、現フレームの画像における特定の被写体の位置を予測し、予測した位置Ｐnに基づきＡＦ枠２０を表示する。これにより、表示モニタ２２０に表示された特定の被写体の位置とＡＦ枠の位置のずれを低減することができる。
【００４６】
また、コントローラ１８０は、予測した位置Ｐnに基づいた領域３０において、追従動作のために特定の被写体１０を検出してもよい。これにより、追尾対象が移動していると予想される領域において追尾動作が実施されるため、追尾対象の実際の位置により近い位置で追尾対象を検出することができる。また、追尾対象を見失う可能性も低減できる。よって、追尾の精度を向上することができる。
【００４７】
（実施の形態２）
実施の形態１では、動きベクトルに基づき必ず特定の被写体の位置を予測した。しかし、特定の被写体の動きに規則性がない場合、実施の形態１の方法では、必ずしも精度のよい追従が実現されるとは限らない。本実施形態では、所定回数連続して同じ移動量が検出された場合にのみ、特定の被写体の位置を予測するようにする。
【００４８】
以下、図６のフローチャートを参照して本実施形態のデジタルカメラ１００の動作を説明する。なお、デジタルカメラ１００の構成については実施の形態１で説明したとおりである。
【００４９】
コントローラ１８０は、連続する２つのフレーム（たとえば、フレームｎ−１とフレームｎ−２、フレームｎ−２とフレームｎ−３、・・・フレームｎ−５とフレームｎ−６）の撮像画像における特定の被写体の位置から動きベクトル（移動量）を算出し、算出結果を内蔵メモリ２４０に格納する（Ｓ２０）。
【００５０】
次に、コントローラ１８０は、内蔵メモリ２４０から、以前に求めた所定数（例えば、５）の動きベクトルの情報を取得する（Ｓ２１）。ここでは、フレームｎ−１とフレームｎ−２、フレームｎ−２とフレームｎ−３、・・・フレームｎ−５とフレームｎ−６のそれぞれの組から算出した動きベクトルの情報を取得する。
【００５１】
コントローラは、取得した動きベクトルの情報に基づき、所定回数（例えば５回）連続して同じ移動量が検出されたか否かを判断する（Ｓ２２）。ここで、各移動量が正確に一致する場合のみならず、移動量のばらつきが所定の範囲内になる場合も、移動量が同じであると判断してもよい。例えば、各移動量と移動量の平均値との差が所定値以内になる場合、移動量が同じであると判断してもよい。
【００５２】
所定回数連続して同じ移動量が検出されたことは、特定の被写体が一定の速度（移動量）で移動していると考えられる。よって、所定回数連続して同じ移動量が検出された場合（Ｓ２２でＹＥＳ）、コントローラ１８０は、前回のフレームにおいて求めた動きベクトル（移動量）に基づき、現フレームの撮像画像における特定の被写体の位置を予測する（Ｓ２３）。予測位置は前述の式（１）により求められる。
【００５３】
そして、コントローラ１８０は、表示モニタ２２０に表示する画像（ライブビュー画像）において予測位置Ｐnに対応する位置にＡＦ枠２０を表示し（Ｓ２４）、かつ、予測した位置Ｐnを中心として色情報に基づく追尾処理を行う（Ｓ２５）。
【００５４】
一方、同じ移動量が所定回数連続しては検出されなかったことは、特定の被写体が一定の速度（移動量）で移動していないと考えられ、動きベクトルの信頼性が低いと考えられる。よって、同じ移動量が所定回数連続しては検出されなかった場合（Ｓ２２でＮＯ）、動きベクトルに基づく位置予測は行わない。すなわち、コントローラ１８０は、表示モニタ２２０に表示する画像において、１フレーム前の色追尾により検出された特定の被写体の位置に対応する位置にＡＦ枠を表示する（Ｓ２６）。また、コントローラ１８０は、撮像画像全体から色情報に基づく特定の被写体の検出を行う（Ｓ２７）。
【００５５】
本実施形態によれば、特定の被写体が一定の速度（移動量）で移動していると考えられる可能性が高い場合にのみ、動きベクトルを用いて特定の被写体の位置を予測するため、予測の精度を高めることができ、より精度よい追尾動作が実現できる。
【００５６】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００５７】
（１）色情報に基づき特定の被写体を検出する場合、特定の被写体のサイズの変化も認識することができる。特定の被写体のサイズが小さくなっている場合、特定の被写体がデジタルカメラ１００から遠ざかっていると考えられる。よって、上記の実施形態において、特定の被写体のサイズの変化に基づき、式（１）におけるｍの値を補正してもよい。具体的には、特定の被写体のサイズが小さくなっている場合、ｍの値をより小さくなるように補正してもよい。
【００５８】
（２）上記の実施形態においては、図４のフローチャートのステップＳ１５、Ｓ２５、Ｓ２７において色情報に基づく被写体の追尾処理を行ったが、色情報に代えて、
または色情報に加えて、輝度情報に基づき被写体の追尾を行っても良い。もしくは、色情報に代えてまたは色情報に加えて、動きベクトルに基づき被写体の追尾を行っても良い。または、色情報、輝度情報、動きベクトルを適宜組み合わせて被写体の追尾を行っても良い。
【００５９】
（３）上記の実施形態では、コントローラ１８０が動きベクトルの演算を行う例を説明したが、コントローラ１８０とは別に動きベクトルの演算を行う専用のプロセッサを設けても良い。これにより、コントローラ１８０の負荷を軽減でき、より高速な処理が期待できる。
【００６０】
（４）上記の実施形態では、撮像装置の一例としてデジタルカメラを用いて説明したが、撮像装置はこれに限定されない。本開示の思想は、デジタルビデオカメラ、スマートフォン、ウェアラブルカメラ等の動画が撮影できる種々の撮像装置に対して適用することができる。
【００６１】
（５）上記の実施形態では、画像センサをＣＣＤで構成したが、画像センサはこれに限定されない。画像センサはＮＭＯＳイメージセンサやＣＭＯＳイメージセンサで構成してもよい。
【００６２】
（６）上記の実施形態の思想は、レンズ交換式カメラ及びレンズ一体型カメラの双方に対して適用できる。
【００６３】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００６４】
本開示は、動画を撮影できる撮像装置に対して適用可能である。具体的には、デジタルビデオカメラ、スマートフォン、ウェアラブルカメラ等の動画が撮影できる種々の撮像装置に対して適用することができる。
【符号の説明】
【００６５】
１０ 被写体（追尾対象）
２０ ＡＦ枠
１００ デジタルカメラ
１１０ 光学系
１１５ フォーカスレンズ
１２０ レンズ駆動部
１３０ シャッタ
１４０ ＣＣＤ
１５０ Ａ／Ｄコンバータ
１６０ 画像処理部
１７０ バッファ
１８０ コントローラ
１９０ カードスロット
２００ メモリカード
２１０ 操作部材
２２０ 表示モニタ
２４０ 内蔵メモリ
３００ 絞り
【図１】
2016218106.tif 000003
【図２】
2016218106.tif 000004
【図３】
2016218106.tif 000005
【図４】
2016218106.tif 000006
【図５】
2016218106.tif 000007
【図６】
2016218106.tif 000008